【誤訳訂正書】
【提出日】平成23年7月4日(2011.7.4)
【誤訳訂正１】
【訂正対象書類名】特許請求の範囲
【訂正対象項目名】全文
【訂正方法】変更
【訂正の内容】
【特許請求の範囲】
【請求項１】
フィルム（１１０）内の位置を決定するための装置であって、
時間シーケンスでフィルム（１１０）に適用されるフィルムサウンド情報（１１２、１１４）を記憶するためのメモリ（４２０）であって、時間スケールが前記記憶されたフィルムサウンド情報に関連付けられる、メモリ（４２０）と、
前記フィルム（１１０）から読み込まれるサウンド部分を受信しさらにサンプリングするための手段（４４０）と、
粗い結果を得るために、第１のサンプリングレートを有する前記読み込まれた部分の一連のサンプルと第１のサーチウインドウ内の前記記憶されたフィルムサウンド情報とを整合に関して比較し、さらに、前記フィルム（１１０）の前記位置を示す細かい結果を得るために、第２のサンプリングレートを有する前記読み込まれた部分の一連のサンプルと第２のサーチウインドウ内の前記記憶されたフィルムサウンド情報とを整合に関して比較するように形成される同期手段（４６０）であって、前記記憶されたフィルムサウンド情報内の前記第２のサーチウインドウの位置が前記粗い結果に依存し、サーチウインドウは時間スケール上の第１の時間（Ｔ0）および第２の時間（Ｔ3）によって定義され、前記第１のサーチウインドウは時間的に前記第２のサーチウインドウより長く、さらに、前記第１のサンプリングレートは前記第２のサンプリングレートより低い、同期手段（４６０）とを備える、装置。
【請求項２】
前記同期手段（４６０）は、相関によって、読み込まれた部分の一連のサンプルと前記記憶されたフィルムサウンド情報のサーチウインドウとを比較するように形成される、請求項１に記載の装置。
【請求項３】
前記同期手段（４６０）は、第１のサンプリングレートに基づく前記読み込まれた部分の前記一連のサンプルとそれぞれ異なるサンプリングレートに基づく前記第１のサーチウインドウの複数のバージョンとを比較するように形成され、さらに、前記第２のサーチウインドウの前記位置は、前記読み込まれた部分の前記一連のサンプルに関連付けられる再生速度と前記第１のサーチウインドウのバージョンに関連付けられるサーチウインドウ再生速度との間のずれが最小である前記第１のサーチウインドウの前記バージョンに依存する、請求項１または請求項２に記載の装置。
【請求項４】
前記同期手段（４６０）は、第１のサーチウインドウに基づいて、前記第２のサーチウインドウの前記位置を決定するように形成され、相関を用いて前記読み込まれた部分の前記一連のサンプルと前記第１のサーチウインドウ内の前記記憶されたフィルムサウンド情報とを比較することによって得られる相関結果は、前記読み込まれた部分の前記一連のサンプルと複数の他のサーチウインドウのうちのいずれかの他のサーチウインドウ内の前記記憶されたフィルムサウンド情報とを比較することによって得られる１つまたは複数の相関結果と比べて、より長いピーク対ノイズ距離を有する、請求項３に記載の装置。
【請求項５】
前記フィルムから読み込まれる部分を受信するためのさらなる手段を備え、前記部分は、前記受信するための手段によって受信される前記部分と異なる、請求項１ないし請求項４のいずれかに記載の装置。
【請求項６】
記憶するための前記メモリ（４２０）は、ダウンミックスを記憶するように形成され、さらに、受信するための前記手段（４４０）は、複数のサウンドトラックから複数のテスト信号を受信し、さらにダウンミックスを生成するように形成される、請求項１ないし請求項５のいずれかに記載の装置。
【請求項７】
記憶するための前記メモリ（４２０）は、少なくとも１つの別のタイプのフィルムサウンド情報をさらに記憶するように形成され、
受信するための少なくとも１つのさらなる手段を備え、受信するための前記１つのさらなる手段は、受信するための前記手段（４４０）と比べて、前記フィルムから１つの別のタイプのフィルム情報の部分を読み込むように形成され、
比較するための手段（１６０）は、前記少なくとも２つの異なるタイプのフィルム情報からの前記受信された部分とそれに対応するタイプの記憶されたフィルム情報とを比較するように形成され、さらに
決定するための手段（１８０）は、前記少なくとも２つの異なるタイプのフィルム情報に基づく前記少なくとも２つの比較結果からの平均化、多数決または優先順位付けによって制御信号（１９０）を決定するように形成される、請求項１に記載の装置。
【請求項８】
フィルム（１１０）内の位置を決定するための方法であって、
前記フィルムから読み込まれるサウンド部分を受信しさらにサンプリングするステップと、
粗い結果を得るために、第１のサンプリングレートを有する前記読み込まれた部分の一連のサンプルと第１のサーチウインドウ内の記憶されたフィルムサウンド情報（１１２、１１４）とを整合に関して比較するステップであって、前記フィルムサウンド情報（１１２、１１４）は時間シーケンスでフィルム（１１０）に適用され、さらに、時間スケールが前記記憶されたフィルムサウンド情報に関連付けられる、ステップと、
前記フィルム（１１０）の前記位置を示す細かい結果を得るために、第２のサンプリングレートを有する前記読み込まれた部分の一連のサンプルと第２のサーチウインドウ内の記憶されたフィルムサウンド情報とを整合に関して比較するステップであって、前記記憶されたフィルムサウンド情報内の前記第２のサーチウインドウの位置が前記粗い結果に依存し、サーチウインドウは時間スケール上の第１の時間（Ｔ0）および第２の時間（Ｔ3）によって定義され、前記第１のサーチウインドウは時間的に前記第２のサーチウインドウより長く、さらに、前記第１のサンプリングレートは前記第２のサンプリングレートより低い、ステップとを含む、方法。
【請求項９】
コンピュータ上で実行されるときに、請求項８に記載の方法を実行するためのプログラムコードを有するコンピュータプログラム。
【誤訳訂正２】
【訂正対象書類名】明細書
【訂正対象項目名】００１９
【訂正方法】変更
【訂正の内容】
【００１９】
この目的は、請求項１に記載のフィルム内の位置を決定するための装置、請求項８に記載のフィルム内の位置を決定するための方法、および請求項９に記載のコンピュータプログラムによって達成される。
【誤訳訂正３】
【訂正対象書類名】明細書
【訂正対象項目名】００２６
【訂正方法】変更
【訂正の内容】
【００２６】
本発明の好適な実施の形態が添付図面を参照して以下に説明される。これらの図面としては：
図１は、フィルムイベントシステム用の制御信号を生成するための装置の好適な実施の形態を示す基本ブロック図であり、
図２ａは、相関を実行するための装置の実施の形態を示す基本ブロック図であり、
図２ｂは、相関を実行するための装置の好適な実施の形態を示す基本ブロック図であり、
図２ｃ．１は、フィルムの例示的なセクションを示す図であり、
図２ｃ．２は、第１の可変再生速度および一定テストサンプリングレートによる図２ｃ．１に示すフィルムのセクションのサウンド信号の例示的な曲線を示す図であり、
図２ｃ．３は、第２の可変再生速度および一定テストサンプリングレートによる図２ｃ．１に示すフィルムのセクションのサウンド信号の例示的な曲線を示す図であり、
図２ｃ．４は、第３の可変再生速度および一定テストサンプリングレートによる図２ｃ．１に示すフィルムのセクションのサウンド信号の例示的な曲線を示す図であり、
図２ｄ．１は、フィルムの２つの例示的なセクションを示す図であり、
図２ｄ．２は、フィルムの基準サウンド信号の例示的な曲線を示す図であり、
図２ｄ．３は、フィルムのセクション用の第１の再生速度および一定テストサンプリングレートに基づくテストサウンド信号の例示的な曲線を示す図であり、
図２ｄ．４は、図２ｄ．２の基準サウンド信号と図２ｄ．３のテストサウンド信号との相関からの例示的な第１の相関結果を示す図であり、
図２ｄ．５は、図２ｄ．１のフィルムの２つの例示的なセクションを示す図であり、
図２ｄ．６は、図２ｄ．２のフィルムの基準サウンド信号の例示的な曲線を示す図であり、
図２ｄ．７は、フィルムのセクション用の第２の再生速度および一定テストサンプリングレートに基づくテストサウンド信号の例示的な曲線を示す図であり、
図２ｄ．８は、図２ｄ．６の基準サウンド信号と図２ｄ．７のテストサウンド信号との相関からの例示的な第２の相関結果を示す図であり、
図３ａは、フィンガープリント表示に基づくフィルム内の部分を決定するための装置の好適な実施の形態を示す基本ブロック図であり、
図３ｂ．１は、フィルムの２つのセクションを示す図であり、
図３ｂ．２は、図３ｂ．１の２つのセクション用の基準サウンド信号の例示的な曲線を示す図であり、
図４は、位置の粗く後に細かい決定に基づくフィルム内の位置を決定するための装置の好適な実施の形態を示す基本ブロック図であり、
図５ａは、フィルムイベントシステム用の制御信号を生成するための装置の好適な実施の形態を示す基本ブロック図であり、
図５ｂ．１は、フィルムの２つのセクションを示す図であり、
図５ｂ．２は、フィルムの第１のセクション用の基準サウンド信号の例示的な曲線を示す図であり、
図５ｂ．３は、フィルムの第２のセクション用のテストサウンド信号の例示的な曲線を示す図であり、
図５ｂ．４は、図５ｂ．２の基準サウンド信号と図５ｂ．３のテストサウンド信号との相関からの例示的な相関結果を示す図であり、
図６ａは、フィルムイベントシステム用の制御信号を生成するための装置およびフィルムイベントシステムを有する例示的なフィルムプロジェクションシステムを示す基本ブロック図であり、
図６ｂは、例示的なオーディオフィルムイベントシステムを有する制御信号を生成するための装置を有する例示的なフィルムプロジェクションシステムを示す基本ブロック図であり、
図７は、１つのフィルム情報に対する時間スケールの例示的な関連を示す概略図であり、
図８は、適用されたフィルム情報を有する例示的なフィルムを示す概略図である。
【誤訳訂正４】
【訂正対象書類名】明細書
【訂正対象項目名】００８３
【訂正方法】変更
【訂正の内容】
【００８３】
フィルム内の位置を決定するための装置は、フィルム情報の基準フィンガープリント表示を記憶するためのメモリ３２０であって、フィンガープリント表示の時間曲線がフィルム情報の時間曲線に依存するようにフィンガープリント表示が形成され、さらに時間スケールが記憶された基準フィンガープリント表示に関連付けられる、メモリ３２０と、フィルムから読み込まれるセクションを受信するための手段３４０と、読み込まれたセクションからテストフィンガープリント表示を抽出するための手段３５０と、比較および時間スケールに基づいてフィルム内の位置を決定するために、テストフィンガープリント表示と基準フィンガープリント表示とを比較するための手段３６０とを備える。
【誤訳訂正５】
【訂正対象書類名】明細書
【訂正対象項目名】００８４
【訂正方法】変更
【訂正の内容】
【００８４】
好適な実施の形態では、フィンガープリント表示は、スペクトル平坦性の形式の表示を含み、フィンガープリント表示の時間曲線は、スペクトル平坦性の時間曲線を含む。
【誤訳訂正６】
【訂正対象書類名】明細書
【訂正対象項目名】００８６
【訂正方法】変更
【訂正の内容】
【００８６】
一実施の形態では、フィルム情報の基準フィンガープリント表示を生成するステップでは、フィンガープリントがフィルムの特定の空間または時間部分に対してそれぞれ決定される。
【誤訳訂正７】
【訂正対象書類名】明細書
【訂正対象項目名】００８７
【訂正方法】変更
【訂正の内容】
【００８７】
図３ｂ．２は、例えば、位置Ｌ100〜位置Ｌ113のセクションまたは時間Ｔ100〜時間Ｔ113のセクションを含む第１のセクションと、位置Ｌ103〜位置Ｌ113のセクションまたは時間Ｔ103〜時間Ｔ116のセクションを含む第２のセクションとを示す。これらのセクションに基づいて、セクションに関連付けられるフィンガープリントは、例えば、スペクトル解析、フーリエ変換または特徴抽出の他の方法に基づいて生成される。特に好適な実施の形態では、フィンガープリントは、パワー密度スペクトルの曲線から計算されるスペクトル平坦性γx2を含むので、スペクトル平坦性の値は、各セクションに対して決定され、一連のスペクトル平坦性は、フィルム情報の時間曲線に、例えば、関連付けられた時間スケールでメモリ３２０に記憶されるサウンド信号に依存することになる。
【誤訳訂正８】
【訂正対象書類名】明細書
【訂正対象項目名】００８９
【訂正方法】変更
【訂正の内容】
【００８９】
スペクトル平坦性の形式のフィンガープリント表示の大きな長所は、例えば、等しいセクションのパワー密度スペクトルの完全な記憶に比べて、その必要メモリが少ないことである。好ましくは、曲線または一連のスペクトル平坦性は、それぞれ、セクションのフィンガープリントとして用いられる。
【誤訳訂正９】
【訂正対象書類名】明細書
【訂正対象項目名】０１０３
【訂正方法】変更
【訂正の内容】
【０１０３】
テストサウンド信号２７０に基づいて、１つもしくは複数の特徴が抽出され、または、テストフィンガープリント表示が形成される。特徴抽出またはフィンガープリント表示それぞれに対して、例えば、スペクトル平坦性が特徴またはフィンガープリントとして用いられる。次に、テストフィンガープリント表示は、特徴またはフィンガープリント表示を比較するための手段５５４によって、基準フィンガープリント表示と比較され、上述のように、フィンガープリント表示は、フィンガープリント表示の時間曲線がフィルム情報の時間曲線に依存するように形成され、時間スケールは、特徴を比較するための手段５５４に記憶される基準フィンガープリント表示に関連付けられ、比較するための手段５５４は、テストフィンガープリント表示と基準フィンガープリント表示および時間スケールとの比較に基づいて、フィルム内の位置を決定し、または、タイムコード信号５５４Ｚを生成するように形成される。
【誤訳訂正１０】
【訂正対象書類名】明細書
【訂正対象項目名】０１１５
【訂正方法】変更
【訂正の内容】
【０１１５】
ピーク対ノイズ値またはピーク対ノイズ距離の閾値を下回る場合、タイムコード差は、例えば、無効であるとして検出することができる。あるいは、ピーク対ノイズ距離が同じようないくつかのピークが決定される場合、タイムコード差は、同様に無効であるとして検出することができる。
【誤訳訂正１１】
【訂正対象書類名】明細書
【訂正対象項目名】０１２０
【訂正方法】変更
【訂正の内容】
【０１２０】
タイマ５８２は、内部クロック（相関の間隔または周波数）と、粗いオーディオＩＤフィンガープリントまたはフィンガープリント表示、例えば特徴決定またはフィンガープリント表示からのタイムコード信号５５４Ｚと、決定された相関差、例えばサンプラ選択のための手段５７０の相関から決定されるタイムコード差信号５７０Ｚとによって制御される。タイマは、相関信号（優先順位が最も高い）、特徴決定からのタイムコードおよび内部クロック（優先順位が最も低い）の優先順位付けを実行する必要がある。
【誤訳訂正１２】
【訂正対象書類名】明細書
【訂正対象項目名】０１３８
【訂正方法】変更
【訂正の内容】
【０１３８】
図５に示す実施の形態と異なり、フィルムイベントシステムの同期は、特徴またはフィンガープリントの評価と１つまたは複数の基準画像信号についてテスト画像信号の相関とのために、フィルムの映像に基づいて実行することができる。
【誤訳訂正１３】
【訂正対象書類名】明細書
【訂正対象項目名】０１６２
【訂正方法】変更
【訂正の内容】
【０１６２】
【図１】図１は、フィルムイベントシステム用の制御信号を生成するための装置の好適な実施の形態を示す基本ブロック図である。
【図２ａ】図２ａは、相関を実行するための装置の実施の形態を示す基本ブロック図である。
【図２ｂ】図２ｂは、相関を実行するための装置の好適な実施の形態を示す基本ブロック図である。
【図２ｃ】図２ｃ．１は、フィルムの例示的なセクションを示す図であり、図２ｃ．２は、第１の可変再生速度および一定テストサンプリングレートによる図２ｃ．１に示すフィルムのセクションのサウンド信号の例示的な曲線を示す図であり、図２ｃ．３は、第２の可変再生速度および一定テストサンプリングレートによる図２ｃ．１に示すフィルムのセクションのサウンド信号の例示的な曲線を示す図であり、図２ｃ．４は、第３の可変再生速度および一定テストサンプリングレートによる図２ｃ．１に示すフィルムのセクションのサウンド信号の例示的な曲線を示す図である。
【図２ｄ（１）】図２ｄ．１は、フィルムの２つの例示的なセクションを示す図であり、図２ｄ．２は、フィルムの基準サウンド信号の例示的な曲線を示す図であり、図２ｄ．３は、フィルムのセクション用の第１の再生速度および一定テストサンプリングレートに基づくテストサウンド信号の例示的な曲線を示す図であり、図２ｄ．４は、図２ｄ．２の基準サウンド信号と図２ｄ．３のテストサウンド信号との相関からの例示的な第１の相関結果を示す図である。
【図２ｄ（２）】図２ｄ．５は、図２ｄ．１のフィルムの２つの例示的なセクションを示す図であり、図２ｄ．６は、図２ｄ．２のフィルムの基準サウンド信号の例示的な曲線を示す図であり、図２ｄ．７は、フィルムのセクション用の第２の再生速度および一定テストサンプリングレートに基づくテストサウンド信号の例示的な曲線を示す図であり、図２ｄ．８は、図２ｄ．６の基準サウンド信号と図２ｄ．７のテストサウンド信号との相関からの例示的な第２の相関結果を示す図である。
【図３ａ】図３ａは、フィンガープリント表示に基づくフィルム内の部分を決定するための装置の好適な実施の形態を示す基本ブロック図である。
【図３ｂ】図３ｂ．１は、フィルムの２つのセクションを示す図であり、図３ｂ．２は、図３ｂ．１の２つのセクション用の基準サウンド信号の例示的な曲線を示す図である。
【図４】図４は、位置の粗く後に細かい決定に基づくフィルム内の位置を決定するための装置の好適な実施の形態を示す基本ブロック図である。
【図５ａ】図５ａは、フィルムイベントシステム用の制御信号を生成するための装置の好適な実施の形態を示す基本ブロック図である。
【図５ｂ】図５ｂ．１は、フィルムの２つのセクションを示す図であり、図５ｂ．２は、フィルムの第１のセクション用の基準サウンド信号の例示的な曲線を示す図であり、図５ｂ．３は、フィルムの第２のセクション用のテストサウンド信号の例示的な曲線を示す図であり、図５ｂ．４は、図５ｂ．２の基準サウンド信号と図５ｂ．３のテストサウンド信号との相関からの例示的な相関結果を示す図である。
【図６ａ】図６ａは、フィルムイベントシステム用の制御信号を生成するための装置およびフィルムイベントシステムを有する例示的なフィルムプロジェクションシステムを示す基本ブロック図である。
【図６ｂ】図６ｂは、例示的なオーディオフィルムイベントシステムを有する制御信号を生成するための装置を有する例示的なフィルムプロジェクションシステムを示す基本ブロック図である。
【図７】図７は、１つのフィルム情報に対する時間スケールの例示的な関連を示す概略図である。
【図８】図８は、適用されたフィルム情報を有する例示的なフィルムを示す概略図である。